(57)【要約】【課題】設備の状態を無線通信手段により管理者へ異常内容別に音声メッセージで通報する。また、異常内容別の音声メッセージを誰でも簡単に録音または録音内容の変更、追加を可能にする。【解決手段】複数の設備の稼動状態を監視し、その監視情報を収集する監視情報収集手段と、この監視情報収集手段によって収集された監視情報に基づき設備の稼動状態を通報する無線通信手段とを備えた設備監視情報の無線自動通報装置であって、設備の稼動状態に対応する複数の音声メッセージの録音または再生を可能とする音声データ記憶手段と、この音声データ記憶手段の音声データを監視情報に基づき選択して取り出し、携帯受信端末へ送信して設備の稼動状態を音声メッセージで通報するように構成した無線通信手段とを備える。【選択図】        図１
2004240900.tif 000002
【特許請求の範囲】
【請求項１】
複数の設備の稼動状態を監視し、その監視情報を収集する監視情報収集手段と、
この監視情報収集手段によって収集された監視情報に基づき設備の稼動状態を通報する無線通信手段と
を備えた設備監視情報の無線自動通報装置であって、
設備の稼動状態に対応する複数の音声メッセージの録音または再生を可能とする音声データ記憶手段と、
この音声データ記憶手段の音声データを監視情報に基づき選択して取り出し、携帯受信端末へ送信して設備の稼動状態を音声メッセージで通報するように構成した無線通信手段と
を備えたことを特徴とする設備監視情報の無線自動通報装置。
【請求項２】
前記無線通信手段は、音声メッセージによる通報前に、呼び出し音を付加する機能を備えたことを特徴とする請求項１記載の設備監視情報の無線自動通報装置。
【請求項３】
前記無線通信手段は、音声メッセージの繰り返し通報回数を設定する機能を備えたことを特徴とする請求項１または２記載の設備監視情報の無線自動通報装置。
【請求項４】
前記無線通信手段は、音声データの送信に使用するチャンネル周波数が使用状態の時は、そのまま待機し、使用するチャンネル周波数が空き状態になった時に音声データの送信を開始する機能を備え、かつ前記待機の時間を乱数的に変化する機能を備えたことを特徴とする請求項１から３のうちのいずれか一項記載の設備監視情報の無線自動通報装置。
【発明の詳細な説明】
【０００１】
【発明の属する技術分野】
本発明は、複数の工作機械を備えた自動加工システム等の設備の稼動状態を監視し、その監視情報に基づき設備の状態を通報する設備監視情報の無線自動通報装置に関する。
【０００２】
【従来の技術】
複数の工作機械を備えた自動加工システム等の設備において、稼動する設備の状態を監視し、その異常等の発生を通報するための方法、装置としては、
（１）図３（ａ）に示すように、各装置ａ〜ｎにそれぞれ設けたランプ１を点灯させ、装置ａ〜ｎの異常の発生を表示する方法や、通報内容を示す文字等をあんどん（表示パネル）２に表示し、異常の発生を通報する方法
（２）図３（ｂ）に示すように、各装置ａ〜ｎ全体の状態をＬＡＮや電話回線を利用して、例えば、マイクロコンピュータのモニタ画面３に表示する方法、あるいは音声合成による音声メッセージにより通報する方法
（３）無線通信機あるいは携帯電話機を利用し、受信端末によるブザー音、振動または文字情報により通報する方法
等がある。
【０００３】
また、上記電話回線を使用した設備の監視情報自動通知装置としては、次のように構成したものが提案されている。（例えば、特許文献１参照）
【０００４】
上記設備の監視情報自動通知装置は、加工システムの状態を監視する監視情報収集手段に収集された監視情報の内容に対して、判別手段が送信すべきか否かを判別し、送信すべきと判別したときは、出力手段が監視情報の内容に基づいて宛先データを、宛先データ記憶手段から読み出して出力する。そして、この宛先データに応じて回線接続手段が電話回線もしくはＦＡＸ回線と接続する。この時、送信手段は、加工システムの状態に対応するメッセージを、メッセージパターン記憶手段によって記憶された所定の言葉毎に分割されたメッセージ内容を組み合わせて連絡内容を作成し、電話回線もしくはＦＡＸ回線を介して自動的に送信し、連絡するように構成している。
【０００５】
【特許文献１】
特公平７−４４６１５号公報（第１−２頁、第１図）
【０００６】
【発明が解決しようとする課題】
上述した従来のランプ等による方法では、異常発生や警報を報知する装置が見える位置に管理者がいないと認識することができない欠点があった。また、常に、視認していないとリアルタイムに、異常や警報を発見できないという問題点がある。さらに、電話回線やＬＡＮを利用し、モニタ画面で視認する方法は、少なくとも１人の管理者を常時配置する必要があった。
【０００７】
また、電話回線やＬＡＮを利用した音声合成による通報は、複雑で高価となる上に、音声メッセージのプログラムもその装置に合わせて対応しなければならないという問題点があった。さらに、音声メッセージの作成、変更または追加に際し、専門知識のある技術者を必要とし、誰でもが簡単にできる作業ではなかった。また、一般的な音声合成による音声メッセージは、その内容が不自然となり、聞き取りずらく、これを解消するためには、高額な音声合成装置を必要とする。
【０００８】
また、無線通信機や携帯電話機を利用したブザー音や振動による通報は、その通報のみで異常等の内容がわからないという欠点があった。また、無線通信機や携帯電話機を利用した文字による通知は、その通知があるたびに、受信端末を操作および目視する必要があるため、その確認作業の間は、他の作業を中断する必要があった。さらに、携帯電話機を利用した通報システムの場合は、管理コストが高くなるという問題点があった。
【０００９】
本発明は、上記問題点を解決するためになされたもので、複数の工作機械を備えた自動加工システム等の設備の状態を無線通信手段により管理者へ異常内容別に音声メッセージで通報するとともに、異常内容別の音声メッセージを誰でも簡単に録音または録音内容の変更、追加を行なうことができる設備監視情報の無線自動通報装置を提供することを目的としている。
【００１０】
【課題を解決するための手段】
上記の目的を達成するために、本発明の設備監視情報の無線自動通報装置においては、複数の設備の稼動状態を監視し、その監視情報を収集する監視情報収集手段と、この監視情報収集手段によって収集された監視情報に基づき設備の稼動状態を通報する無線通信手段とを備えた設備監視情報の無線自動通報装置であって、設備の稼動状態に対応する複数の音声メッセージの録音または再生を可能とする音声データ記憶手段と、この音声データ記憶手段の音声データを監視情報に基づき選択して取り出し、携帯受信端末へ送信して設備の稼動状態を音声メッセージで通報するように構成した無線通信手段とを備えたものである。
【００１１】
また、上記無線通信手段は、音声メッセージによる通報前に、呼び出し音を付加する機能を備えることが効果的である。
【００１２】
また、上記無線通信手段は、音声メッセージの繰り返し通報回数を設定する機能を備えることが好ましい。
【００１３】
さらに、上記無線通信手段は、音声データの送信に使用するチャンネル周波数が使用状態の時は、そのまま待機し、使用するチャンネル周波数が空き状態になった時に音声データの送信を開始する機能を備え、かつ待機の時間を乱数的に変化する機能を備えることが効果的である。
【００１４】
【発明の実施の形態】
本発明の実施の形態を実施例にもとづき図面を参照して説明する。
まず、本発明の第１の実施例を示す設備監視情報の無線自動通報装置について、図１（ａ）および図１（ｂ）を用いて説明する。図１（ａ）は、設備監視情報の無線自動通報装置を示すブロック図である。図１（ｂ）は、音声メッセージの録音時におけるＬＥＤ１およびＬＥＤ２の表示状態を示す説明図である。
【００１５】
図１において、本発明に係る設備監視情報の無線自動通報装置は、コントロール部４と、無線部５と、管理者が携帯する携帯受信端末６とから構成されている。７は複数の工作機械を備えた加工システムや複数の自動加工機械等の設備である。この設備７は、通報すべき異常状態を示す監視情報の種類を予めその必要に応じて決めておく。この設備７から送出される複数の監視情報Ａ〜Ｎは、コントロール部４へそれぞれ入力している。
【００１６】
上記コントロール部４には、音声メッセージを入力するマイクロホン８が接続され、このマイクロホン８から入力された音声メッセージをエンコーダ（図示しない）を通じてデジタル信号へ変換し、変換された音声データを録音、再生用の記憶装置９へ格納するように構成している。なお、音声メッセージ内容は、マイクロホン８からの入力の他に、予め作成しておいた外部オーディオ信号を用いることも可能である。
【００１７】
また、上記コントロール部４は、機能設定スイッチ１０と、メッセージ確認スイッチ１１とを備えている。機能設定スイッチ１０は、録音モードと再生モードへ切り換えるスイッチＳＷ１−１と、呼び出し音（コールトーン）を音声メッセージの前に付加するかどうかを設定するスイッチＳＷ１−２と、音声メッセージの繰り返し回数を１回からｎ回まで設定するスイッチＳＷ１−３およびＳＷ１−４とによって構成している。
【００１８】
一方、メッセージ確認スイッチ１１は、設備７の状態を示す監視情報Ａ〜Ｎに対応したスイッチＳＷ２−１〜ＳＷ２−ｎをそれぞれ備えている。このスイッチＳＷ２−１〜ＳＷ２−ｎは、録音済みの音声メッセージの内容を確認する際に使用するもので、スイッチＳＷ２−１〜ＳＷ２−ｎをそれぞれ押すことにより、監視情報Ａ〜Ｎに対応した音声メッセージを携帯受信端末６に内蔵されたスピーカから聞くことができるように構成している。
【００１９】
また、上記コントロール部４のＬＥＤ１は、電源インジケータで、ＡＣアダプタ１２を通じて、コントロール部４へ電源ＤＣ９Ｖが供給されていることの表示および無線部５へ電源ＤＣ４Ｖが供給されていることを表示する。ＬＥＤ２は、音声メッセージの録音状態を表示する。例えば、図１（ｂ）に示すように、マイクロホン８からの音声メッセージの録音開始時に点灯し、記憶装置９の記憶容量（録音可能時間）が残り少なくなると点滅表示に変わって警告を行ない、録音時間を超えるか、または録音を終了すると消灯するように構成している。
【００２０】
無線部５は、送信用の特定小電力無線装置によって構成され、動作用電源ＤＣ４Ｖが供給され、常時動作状態に設定されている。一方、管理者が携帯する携帯受信端末６は、受信用の特定小電力無線装置によって構成され、無線部５とチャンネル周波数等の条件が一致して設定されており、常時、受信可能状態となっている。さらに、上記無線部５は、音声データの送信に使用するチャンネル周波数が使用状態の時は、そのまま待機し、使用するチャンネル周波数が空き状態になった時に音声データの送信を開始する機能を備え、かつ待機の時間を乱数的に変化する機能を備えている。
【００２１】
次に、上記のように構成した設備監視情報の無線自動通報装置の動作について説明する。
まず、コントロール部４の記憶装置９へ設備の状態を示す監視情報Ａ〜Ｎに対応した音声メッセージを録音する。この音声メッセージの録音は、スイッチＳＷ１−１を「録音」に切り換える。その後、設備７の状態を示す監視情報Ａ〜Ｎにそれぞれ対応した音声メッセージをマイクロホン８から入力し、録音を行なう。この監視情報Ａ〜Ｎに対応した音声メッセージの録音を行なう場合、例えば、監視情報Ａに対応した音声メッセージの録音を行なう場合は、スイッチＳＷ２−１を録音する間、押し続けてオン状態とする。また、スイッチＳＷ２−１のオン状態を解除した時点、または図１（ｂ）に示すｍ秒経過後に録音は終了する。このような操作をスイッチＳＷ２−１からＳＷ２−ｎまで順次行なうことによって、監視情報Ａ〜Ｎに対応した音声メッセージをそれぞれ記憶装置９へ格納し、録音操作を終了する。
【００２２】
上記の録音内容をそれぞれ確認する場合は、スイッチＳＷ１−１を「再生」に合わせた後、例えば、スイッチＳＷ２−１を押すと、記憶装置９に格納されていた監視情報Ａに対応する音声データが無線部５へ送られ、携帯受信端末６へ送信される。携帯受信端末６では、送信された音声データをデコードしてアナログ信号に変換し、スピーカで監視情報Ａに対応する音声メッセージを再生して録音内容を確認する。
【００２３】
上記の録音および録音内容の確認作業を実施した後は、設備７の状態に応じてコントロール部４へ入力される監視情報Ａ〜Ｎに基づき、自動的に通報するための処理が行われる。したがって、設備７に何らかの異常が発生した時は、入力された監視情報Ａ〜Ｎに対応した音声データが選択され無線部５へ出力される。無線部５は、入力された音声データを携帯受信端末６へ送信し、管理者は、受信された音声メッセージを聞き、設備７の状態を把握し、設備７の状態に応じて迅速かつ的確に対処することが可能となる。
なお、携帯受信端末６を工場内の放送設備に接続し、通報する音声メッセージを一斉放送することも可能である。
【００２４】
この第１の実施例によれば、以上説明したように構成されているので、以下に記載されるような効果を奏する。
（１）工作機械を備えた加工システムや自動加工システム等の設備の異常通報を異常の内容別に管理者へ無線で音声通報できる。また、管理者が携帯する携帯受信端末へ異常や警報を音声メッセージで通報することができるため、無線電波の届く範囲内であれば、どこでもリアルタイムに受信でき、設備の状態を把握することができる。
【００２５】
（２）音声メッセージ内容は、マイクロホンや外部オーディオ信号により簡単に誰でもが録音あるいは録音内容の変更、追加を行なうことができる。また、録音によるメッセージであるため、生産ライン等で使用されている特殊な用語もそのまま使用することができ、メッセージの内容次第で設備の状態を詳細に知らせることが可能となる。さらに、音声メッセージによる通報であるため、情報を受け取る管理者は、作業中であってもそれを中断することなく、異常、警報等を認識することができる。
【００２６】
（３）無線通信手段に特定小電力無線装置を使用することにより、ほとんど維持費がかからないため、管理コストを低減することができる。また、音声メッセージの前に呼び出し音を付加することにより、注意を促し、後に続く音声メッセージの認識性を高めることができる。また、利用環境にあわせ、音声メッセージの繰り返し回数を設定できるため、音声メッセージの認識性を高めることができる。さらに、無線通信手段は、音声データの送信に使用するチャンネル周波数が使用状態の時は、そのまま待機し、使用するチャンネル周波数が空き状態になった時に音声データの送信を開始する機能を備え、かつ前記待機の時間を乱数的に変化する機能を備えたたことにより、本発明に係る設備監視情報の無線自動通報装置を複数台使用した場合の送信用チャンネル周波数のバッティングを軽減することができる。
【００２７】
次に、図２（ａ）〜図２（ｃ）に示す本発明に係る設備監視情報の無線自動通報装置の第２〜第４の実施例について説明する。
図２（ａ）は、第２の実施例を示す説明図である。この第２の実施例は、コントロール部４と、無線部５と、管理者が携帯する携帯受信端末６とで構成した本発明の設備監視情報の無線自動通報装置を製造ライン１３に用いた場合を示している。このように、本発明の設備監視情報の無線自動通報装置を製造ライン１３に用いることにより、上述した第１の実施例と同様の効果を得ることができる。
【００２８】
図２（ｂ）および図２（ｃ）は、ドア１４や窓１５に設置したセンサー１６の検出信号に基づき、本発明の設備監視情報の無線自動通報装置を動作させることにより、ドア１４や窓１５の開閉状態、あるいは異常発生を音声メッセージで通報することができ、セキュリティ装置への応用も可能である。
【００２９】
【発明の効果】
本発明は、以上説明したように構成されているので、複数の工作機械を備えた自動加工システム等の設備の状態を無線通信手段により管理者へ異常内容別に音声メッセージで通報するとともに、異常内容別の音声メッセージを誰でも簡単に録音または録音内容の変更、追加を行なうことができる。
【図面の簡単な説明】
【図１】本発明による設備監視情報の無線自動通報装置の第１の実施例を示すブロック図および録音状態の表示を示す説明図である。
【図２】本発明による設備監視情報の無線自動通報装置の第２〜第４の実施例を示す説明図である。
【図３】従来の設備監視情報の自動通報装置の概略構成を示す説明図である。
【符号の説明】
１      ランプ
２      あんどん（表示パネル）
３      モニタ画面
４      コントロール部
５      無線部
６      携帯受信端末
７      設備
８      マイクロホン
９      記憶装置
１０    機能設定スイッチ
１１    メッセージ確認スイッチ
１２    ＡＣアダプタ
【図１】
2004240900.tif 000003
【図２】
2004240900.tif 000004
【図３】
2004240900.tif 000005